(57)【要約】 【課題】  吊り下げた洗濯物が強風で煽られて多連式ハンガーが竿体より外れたり、横に移動したりするのを防止する。【解決手段】  複数のハンガー２と、これら複数のハンガー２を吊着する本体部１と、当該本体部１に装着されると共に、竿体１０に巻き付けられて、結合手段７（面ファスナ）により一方側が他方側に離着可能に結合されてループを形成する可撓性の帯状部材３とで構成される。【選択図】    図２
0003108310.tif 000002
【実用新案登録請求の範囲】
【請求項１】
複数個のハンガーを併設して構成され、竿体に吊り下げて使用する多連式ハンガーにおいて、
前記複数のハンガーと、これら複数のハンガーを吊着する本体部と、当該本体部に装着されると共に、前記竿体に巻き付けられて結合手段により一方側が他方側に離着可能に結合されてループを形成する可撓性の帯状部材とで構成されることを特徴とする多連式ハンガー。
【請求項２】
前記結合手段は、前記帯状部材の一方側外周面と、これを覆って対接する他方側内周面とに設けた互いに係合する面ファスナであることを特徴とする請求項１に記載の多連式ハンガー。
【請求項３】
前記本体部の長手両端に、前記竿体と当接する上面を凹状湾曲面とした竿受けを形成すると共に、当該竿受けの下部に前記帯状部材が挿通される挿通部を形成した固定部を設けたことを特徴とする請求項１または請求項２の何れかに記載の多連式ハンガー。
【請求項４】
前記本体部の長手方向に、前記ハンガーを吊り下げ可能な係止部を複数個所定の間隔で設けたことを特徴とする請求項１から請求項３までの何れかに記載の多連式ハンガー。
【考案の詳細な説明】
【技術分野】
【０００１】
本考案は、複数のハンガーを併設して成る多連式ハンガーに関するものである。
【背景技術】
【０００２】
従来より、ハンガーに掛けた衣類を物干し竿に引っ掛けて乾かすことがしばしば行われている。干し物の量が多い場合は、複数のハンガーが各々比較的狭い所定間隔で掛け並べてある構造であると、一度に多数の洗濯物を効率良く乾かすことができ、且つ、洗濯物も一度に取り込めて極めて使い勝手が良いことから、本体部に複数個のハンガーを併設した多連式ハンガーが提案されている。多連式ハンガーでは、本体上部に設けた吊りフックを物干し竿に引っ掛けて使用する。
【考案の開示】
【考案が解決しようとする課題】
【０００３】
ところが、一般的に知られる鉤形の吊りフックは、洗濯物が強風に煽られたりして吊りフックが物干し竿から外れて多連式ハンガーが落下したり、或いは、物干し竿を横に移動して複数の多連式ハンガーが一箇所に集まることにより、中程に掛けた洗濯物の風当たりを悪くし、乾きを遅くする等の問題があった。
【０００４】
このような、問題に対処すべく、吊りフックの湾曲部をバネによってとじ合わせて環状とし、この環状部分に物干し竿を通す構造（登録実用新案第３０６２５２９号）や、吊りフックの湾曲部の両側に一対の係止部材を回動自在に設け、物干し竿を着脱自在に抱持する構造（実用新案公開平６−２４５８４号）等が提案されているが、これらは何れも吊りフックの構造が複雑化し、コストアップの要因となっていた。
【０００５】
本考案は、このような問題点に鑑み成されたもので、強風に煽られても物干し竿から外れたり横に移動したりしない安価な多連式ハンガーを提供することを目的としている。
【課題を解決するための手段】
【０００６】
すなわち、請求項１に記載の考案は、複数個のハンガーを併設して構成され、竿体に吊り下げて使用する多連式ハンガーにおいて、前記複数のハンガーと、これら複数のハンガーを吊着する本体部と、当該本体部に装着されると共に、前記竿体に巻き付けられて結合手段により一方側が他方側に離着可能に結合されてループを形成する可撓性の帯状部材とで構成されることを特徴としている。
【０００７】
また、請求項２に記載の考案は、請求項１に記載の多連式ハンガーにおいて、前記結合手段は、前記帯状部材の一方側外周面と、これを覆って対接する他方側内周面とに設けた互いに係合する面ファスナであることを特徴としている。
【０００８】
また、請求項３に記載の考案は、請求項１または請求項２の何れかに記載の多連式ハンガーにおいて、前記本体部の長手両端に、前記竿体と当接する上面を凹状湾曲面とした竿受けを形成すると共に、当該竿受けの下部に前記帯状部材が挿通される挿通部を形成した固定部を設けたことを特徴としている。
【０００９】
また、請求項４に記載の考案は、請求項１から請求項３までの何れかに記載の多連式ハンガーにおいて、前記本体部の長手方向に、前記ハンガーを吊り下げ可能な係止部を複数個所定の間隔で設けたことを特徴としている。
【考案の効果】
【００１０】
請求項１に記載の考案によれば、本体部の竿体への吊り下げ手段として可撓性の帯状部材を用いたので、本体部を竿体にしっかりと締め付けて保持することが可能となり、吊り下げた洗濯物が強風で煽られて多連式ハンガーが竿体より外れたり、竿体を横に移動したりする不都合を回避することができ、これにより、多数の洗濯物を風通し良く保持して効率の良い乾燥が可能となる。
【００１１】
また、請求項２に記載の考案によれば、帯状部材の結合手段として面ファスナを用いたので、本体部の竿体への着脱は容易であり、且つ、竿体の径に左右されることなく帯状部材を竿体に確実に締め付けることができる。また、係る吊り下げ手段の構造は極めて簡便であり、コストダウンが図れる。
【００１２】
また、請求項３に記載の考案によれば、本体部の長手両端部に固定部を設けたので、洗濯物が強風に煽られても、本体部が竿体に対して回動することはなく、よって、複数の多連式ハンガーを吊り下げて洗濯物を乾かしておいても、隣り合った洗濯物が互いに接触して乾きを悪くするようなことはなく、適正な乾燥が可能となる。すなわち、多数の洗濯物を多連式ハンガーで確実に保持して風通しの良い効率的な乾燥が可能となる。
加えて、竿体と当接する竿受けの上面を凹状湾曲面とすると、この湾曲面が物干し竿の外周と良く係合し合い、本体部の竿体への固定がより確実となるため、強風による本体部の横方向の移動や揺れを確実に阻止することができる。
【００１３】
また、請求項４に記載の考案によれば、本体部の長手方向にハンガーを吊り下げ可能な係止部を設けたので、手持ちの様々なハンガーを使用して多連式ハンガーを構成することができ、経済的である。
【考案を実施するための最良の形態】
【００１４】
以下、図１〜図３に基づいて本考案の多連式ハンガーの一実施形態を説明する。図１の（ａ）は多連式ハンガーの正面、（ｂ）は側面を示し、図２は多連式ハンガーの使用態様を示している。
【００１５】
図１、図２に示すように、本実施形態の多連式ハンガーは、複数のハンガー２と、これら複数のハンガー２を一括して吊着するための本体部１と、当本体部１を物干し竿１０に吊り下げるための帯状部材３とで構成されている。
【００１６】
本体部１は、補強のために周縁１ａを肉厚に形成した合成樹脂製の細長板状部材で成り、その内側の薄肉部１ｂには、上記したハンガー２の吊りフック２ａを引っ掛けるための係止部４（丸孔４と長孔４）が長手方向に沿って複数個、ハンガー２に洗濯物を吊した際に、衣類同士が互いに重ならないように所定の間隔を置いて一列状態に形成されている。係る構成の本体部１は、手持ちの様々なハンガー２をこれら丸孔４や長孔４に引っ掛けて使用することで多連式ハンガーを構成することができるため、経済的である。
また、この本体部１の長手方向の上部両端に、上面を凹状湾曲面として上記物干し竿１０の外周部が当接する竿受け５を形成すると共に、この竿受け５の下側に上記した帯状部材３が挿通される角形の挿通孔６を形成した固定部８が突設されている。
【００１７】
上記帯状部材３は、例えば、ポリエステル等の合成樹脂製で成る可撓性を有する長方形の帯体であって、一方側３ａの外周面には多数のループ状繊維から成る面ファスナ雌材７ａが設けてあり、また、この帯状部材３の他方側３ｂには多数のフック状繊維から成る面ファスナ雄材７ｂが上記雌材７ａの逆面（内周面）に設けてあり、これら面ファスナ雌材７ａと面ファスナ雄材７ｂとで、帯状部材３をループ状に、且つ、接離自在に結合するための結合手段が構成されている。
【００１８】
そして、図１（ｂ）に示すように、この帯状部材３の他方側３ｂの端部を固定部８の挿通孔６に挿通した後、図２に示すように、物干し竿１０の外周下部に固定部８の竿受け５を宛いながら、帯状部材３を物干し竿１０に巻き付けるように沿わせて締め付け、一方側３ａの外周面（面ファスナ雌材７ａ）を覆うように他方側３ｂの端部（面ファスナ雄材７ｂ）を重ね合わせ、面ファスナ雌材７ａに面ファスナ雄材７ｂを係合させて帯状部材３を閉塞ループ状に結合することにより、多連式ハンガーを物干し竿１０に固定・保持することができる。
【００１９】
このように、帯状部材３の結合手段として接離自在の面ファスナ７を用いたので、本体部１の物干し竿１０への着脱作業は容易であり、且つ、物干し竿１０の径（通常、直径２８〜３２φのものが使用されている）に左右されることなく如何なる竿体にも緩みなく確実に取り付けることができると共に、その構造は簡便であり、安価にできる。
加えて、本体部１を吊り下げる際に物干し竿１０と当接する竿受け５の上面を凹状湾曲面とすることにより、物干し竿１０の外周がこの湾曲面に良く係合するため、本体部１を物干し竿１０にしっかりと固定することができ、よって、ハンガー２に吊り下げた洗濯物が強風で煽られて多連式ハンガーが物干し竿１０から外れ落ちたり、竿体を横に移動したりする不都合を回避することができ、これにより、多数の洗濯物を確実に保持して風通しの良い効率的な乾燥が可能となる。
【００２０】
また、帯状部材３によって本体部１の長手両端部が物干し竿１０に固定されるため、洗濯物が強風に煽られても本体部１が物干し竿１０に対して回動することはなく、よって、複数の多連式ハンガーを吊り下げて洗濯物を乾かしておいても、隣り合った多連式ハンガーの洗濯物が互いに接触して乾きを悪くすることはなく、適正な乾燥が可能となる。すなわち、多数の洗濯物を多連式ハンガーで確実に保持して効率の良い乾燥が可能となる。
【図面の簡単な説明】
【００２１】
【図１】本考案に係る多連式ハンガーを示し（ａ）は正面図、（ｂ）は側面図。
【図２】同、多連式ハンガーの使用態様を示す斜視図。
【符号の説明】
【００２２】
１  本体部
２  ハンガー
３  帯状部材
４  係止部（丸孔、長孔）
５  竿受け
６  挿通部（挿通孔）
７  結合手段（面ファスナ）
８  固定部
１０  竿体（物干し竿）
【図１】
0003108310.tif 000003
【図２】
0003108310.tif 000004